(57)【要約】【課題】雌ハウジングを小型化する。【解決手段】本発明は、カムピン３６が設けられたレバー３０と、このレバー３０が収容されたレバー収容部２１を有し、カムピン３６が回動可能となる位置でレバー３０を支持する支持ピン２６が設けられた雌ハウジング２０と、カムピン３６と係合可能なカム溝５４を有し、カムピン３６とカム溝５４の係合に基づくカム作用によって雌ハウジング２０との嵌合および離脱が行われるようになっている雄ハウジング５１とを備えた構成としたところに特徴を有する。このような構成によると、カム溝５４がレバー３０ではなく雄ハウジング５１に設けられているため、カム溝５４を回動させる必要がない。したがって、レバー収容部２１は、カム溝５４よりも小さいカムピン３６が回動できる程度の大きさであればよく、雌ハウジング２０を大幅に小型化することができる。【選択図】図２
2014096303.tif 000002
【特許請求の範囲】
【請求項１】
カムピンが設けられたレバーと、
このレバーが収容されたレバー収容部を有し、前記カムピンが回動可能となる位置で前記レバーを支持する支持ピンが設けられた雌ハウジングと、
前記カムピンと係合可能なカム溝を有し、前記カムピンと前記カム溝の係合に基づくカム作用によって前記雌ハウジングとの嵌合および離脱が行われるようになっている雄ハウジングとを備えたレバー式コネクタ。
【請求項２】
前記レバー収容部を構成する壁部には、前記カムピンを前記レバー収容部の内部から外部に突出させるカムピン挿通孔が形成されており、前記レバーの外縁には、前記カムピン挿通孔の周縁部に対して内側から係止するめくれ防止片が形成されていることを特徴とする請求項１に記載のレバー式コネクタ。
【請求項３】
前記レバー収容部の周壁部には、前記カムピンの軸方向に突出する形態をなすガイド突部が形成されており、前記雄ハウジングには、前記雌ハウジングとの嵌合に伴って前記ガイド突部が嵌合するガイド凹部が形成されていることを特徴とする請求項１または請求項２に記載のレバー式コネクタ。
【発明の詳細な説明】
【技術分野】
【０００１】
本発明は、レバーを回動させることで相手側コネクタに対して嵌合および離脱が行われるレバー式コネクタに関する。
【背景技術】
【０００２】
この種のレバー式コネクタとして、例えば下記特許文献１に記載のものが知られている。このものは、レバーを回動可能に支持してなる雌ハウジングを有し、レバーには、雄コネクタに設けられたカムピンと係合することでカム作用を発揮するカム溝が凹設されている。このカム溝は、レバーを構成するカム板の外縁からその回動中心に向けて徐々に近づくように形成されている。両ハウジングを浅く嵌合させると、カム溝の入口にカムピンが導入され、この状態でレバーを回動させると、カムピンとカム溝が係合してカム作用を発揮することにより、両ハウジングが強力に引き寄せられて嵌合が行われるようになっている。
【先行技術文献】
【特許文献】
【０００３】
【特許文献１】特開２００３−２４９３０４号公報
【発明の概要】
【発明が解決しようとする課題】
【０００４】
しかしながら、上記のレバー式コネクタによると、カム溝がレバーに形成されているため、レバーを雌ハウジングの内部に収容するためには、少なくともカム溝の回動軌跡よりも大きめのレバー収容部が雌ハウジングに必要とされる。このため、雌ハウジングを小型化する上での障害となっていた。
【０００５】
本発明は上記のような事情に基づいて完成されたものであって、雌ハウジングを小型化することを目的とする。
【課題を解決するための手段】
【０００６】
本発明は、カムピンが設けられたレバーと、このレバーが収容されたレバー収容部を有し、カムピンが回動可能となる位置でレバーを支持する支持ピンが設けられた雌ハウジングと、カムピンと係合可能なカム溝を有し、カムピンとカム溝の係合に基づくカム作用によって雌ハウジングとの嵌合および離脱が行われるようになっている雄ハウジングとを備えた構成としたところに特徴を有する。
【０００７】
このような構成によると、カム溝がレバーではなく雄ハウジングに設けられているため、カム溝を回動させる必要がない。したがって、レバー収容部は、カム溝よりも小さいカムピンが回動できる程度の大きさであればよく、雌ハウジングを大幅に小型化することができる。
【０００８】
本発明の実施の態様として、以下の構成が好ましい。
レバー収容部を構成する壁部には、カムピンをレバー収容部の内部から外部に突出させるカムピン挿通孔が形成されており、レバーの外縁には、カムピン挿通孔の周縁部に対して内側から係止するめくれ防止片が形成されている構成としてもよい。
このような構成によると、めくれ防止片をカムピン挿通孔の周縁部に対して内側から係止させることにより、レバーの回動操作中にレバーがカムピン挿通孔を通ってレバー収容部から外れることを抑制できる。
【０００９】
レバー収容部の周壁部には、カムピンの軸方向に突出する形態をなすガイド突部が形成されており、雄ハウジングには、雌ハウジングとの嵌合に伴ってガイド突部が嵌合するガイド凹部が形成されている構成としてもよい。
このような構成によると、ガイド突部をガイド凹部に嵌合させることにより、両ハウジングの嵌合動作を案内することができる。
【発明の効果】
【００１０】
本発明によれば、雌ハウジングを小型化することができる。
【図面の簡単な説明】
【００１１】
【図１】雌ハウジングを雄ハウジングに嵌合させる前の状態を示した斜視図
【図２】嵌合初期におけるカムピンとカム溝の係合状態を示した断面図
【図３】嵌合途中におけるカムピンとカム溝の係合状態を示した断面図
【図４】嵌合完了時におけるカムピンとカム溝の係合状態を示した断面図
【図５】嵌合初期におけるロックアームのロック状態を示した断面図
【図６】嵌合途中におけるロックアームのロック状態を示した断面図
【図７】嵌合完了時におけるロックアームのロック状態を示した断面図
【図８】雌ハウジングを雄ハウジングに嵌合させた後の状態を示した斜視図
【図９】雄コネクタの正面図
【図１０】雌コネクタの分解斜視図
【図１１】雌ハウジングの平面図
【図１２】図１１におけるＡ−Ａ線断面図
【図１３】雌ハウジングの背面図
【図１４】図１３におけるＢ−Ｂ線断面図
【図１５】レバーの平面図
【図１６】図１５におけるＣ−Ｃ線断面図
【発明を実施するための形態】
【００１２】
＜実施形態＞
本発明の実施形態を図１ないし図１６の図面を参照しながら説明する。本実施形態におけるレバー式コネクタは、図１に示すように、雌コネクタ１０と、この雌コネクタ１０が内部に嵌合される雄コネクタ５０とからなる。雄コネクタ５０には、複数の雌コネクタ１０，９０が嵌合可能とされており、その一方の雌コネクタ１０が本発明の雌コネクタに相当する。他方の雌コネクタ９０は、一方の雌コネクタ１０よりもやや幅広に形成されている。なお、以下の説明において前後方向とは、雌雄両コネクタ１０，５０の嵌合方向を基準とし、互いの嵌合面側を前側とする。
【００１３】
雄コネクタ５０は、図１に示すように、雌コネクタ１０を内部に嵌合可能な嵌合凹部５２を有する雄ハウジング５１を備えている。雄ハウジング５１は合成樹脂製であって、回路基板Ｂの端縁部に装着されている。嵌合凹部５２の奥壁には、複数の雄端子５３が貫通して保持されており、嵌合凹部５２の奥壁から後方（水平方向）に延出された雄端子５３は、水平方向から下方に向けて略直角に曲げられて回路基板Ｂの導電路に接続されている。
【００１４】
雌コネクタ１０は、図１０に示すように、雌ハウジング２０と、この雌ハウジング２０の上部に形成されたレバー収容部２１の内部に収容されるレバー３０とを備えて構成されている。雌ハウジング２０は合成樹脂製であって、その内部には、雄端子５３に接続される角筒状の雌端子（図示せず）を収容する複数のキャビティ２７が前後方向に貫通して形成されている。また、雌ハウジング２０の天井壁２３における幅方向両側縁部には、一対のガイド突部２２が上方に立ち上げられている。このガイド突部２２は前後方向に延びるリブ状をなし、雌ハウジング２０の前端部から後端部に亘って形成されている。また、雌ハウジング２０の天井壁２３には、円弧状に切り欠かれたカムピン挿通孔２４が形成されている。このカムピン挿通孔２４は、円を４つに等分した１／４円（扇形）形状をなしている。
【００１５】
レバー３０は合成樹脂製であって、板状をなすカム板３１と、このカム板３１の後端部に形成された操作部３２とを備えて構成されている。カム板３１には、同カム板３１の板厚方向に弾性変形可能なロックアーム３３が形成されている。ロックアーム３３は前後方向に延びる形態をなし、その後端が自由端とされている。また、ロックアーム３３の前後方向中央部には、ロック突部３４が形成されている。また、ロックアーム３３の後端部には、図８に示すように、解除操作用の押圧片３５が形成されている。この押圧片３５は、略方形の環状をなす操作部３２によってほぼ全周から覆われた形態をなし、操作部３２の上辺部を切り欠くことによって形成された切欠部３２Ａを通して端部が上方に臨む配置とされている。
【００１６】
レバー収容部２１の下面には、図１２に示すように、支持ピン２６が上方に突出して形成されている。一方、カム板３１の下面には、図１６に示すように、支持ピン２６が嵌合可能な支持凹部３８が下方に開口して形成されている。支持ピン２６が支持凹部３８に嵌合することで、レバー３０が回動可能に支持される。また、レバー収容部２１の上面（天井壁２３の下面）には、図１２に示すように、ロック受け部２５が下方に突出して形成されている。このロック受け部２５は、レバー３０のロックアーム３３のロック突部３４に係止することにより、レバー３０の回動を次述する嵌合位置に保持できるようになっている。
【００１７】
レバー３０は、図２に示す初期位置と、図４に示す嵌合位置との間を回動可能とされている。レバー３０のカム板３１には、カムピン３６が形成されており、雄コネクタ５０には、カムピン３６に係合可能なカム溝５４が形成されている。カムピン３６は、図１０に示すように、カム板３１の上面における外縁部に配されており、嵌合位置ではカム板３１の前端部に配されるようになっている。また、カム板３１の外縁部におけるカムピン３６と対応する位置には、めくれ防止片３７が前方に張り出すように形成されている。このめくれ防止片３７は、カムピン挿通孔２４の円弧部分の外周縁部の下側に入り込んでおり、レバー３０の回動の途中でカム板３１が上方にめくれて外れることを防止している。
【００１８】
一方、雄コネクタ５０のカム溝５４は、図９に示すように、嵌合凹部５２の内部における上面側に形成されている。また、カム溝５４は、図２に示すように、カムピン３６の直径よりやや大きめの溝幅を有し、斜め方向に延びる形態をなしている。カム溝５４における内側の面は、両コネクタ１０，５０の嵌合時にカムピン３６と係合し、カム溝５４における外側の面は、両コネクタ１０，５０の離脱時にカムピン３６と係合する。すなわち、両コネクタ１０，５０は、カムピン３６とカム溝５４の係合に基づくカム作用を発揮することで嵌合および離脱が可能とされている。
【００１９】
また、雄ハウジング５１におけるカム溝５４の左右両側には、一対のガイド凹部５５が形成されている。このガイド凹部５５には、雌ハウジング２０のガイド突部２２が嵌合可能とされており、両コネクタ１０，５０の嵌合動作を案内可能とされている。
【００２０】
本実施形態は以上のような構成であって、続いてその作用を説明する。レバー３０を雌ハウジング２０のレバー収容部２１の内部に対して後方から組み付けることにより、レバー３０の支持凹部３８に支持ピン２６が嵌まり込み、レバー３０がレバー収容部２１の内部において回動可能に装着される。レバー３０を初期位置にセットすると、レバー３０が図示しない仮係止ロックにより初期位置に保持される。
【００２１】
次に、両コネクタ１０，５０を浅く嵌合させると、図２に示すように、カムピン３６がカム溝５４の入口に進入し、図示しない解除リブが仮係止ロックを解除方向に撓ませることによりロックが解除され、レバー３０の回動動作が許容される。そして、レバー３０を初期位置から嵌合位置に向けて回動させると、図３に示すように、カムピン３６とカム溝５４が係合し、両コネクタ１０，５０が互いに引き寄せられる。また、図６に示すように、ロック受け部２５がロックアーム３３のロック突部３４に乗り上げる。
【００２２】
この間、ガイド突部２２がガイド凹部５５に嵌合することにより、両コネクタ１０，５０の嵌合動作が円滑に行われ、めくれ防止片３７がカムピン挿通孔２４の円弧部分の外周縁部に下側から係止することにより、カム板３１の上方へのめくれが防止される。そして、レバー３０が嵌合位置に至ると、図７に示すように、ロック受け部２５がロック突部３４を乗り越えて互いに係止する。これにより、レバー３０は嵌合位置に保持されるとともに、両コネクタ１０，５０が嵌合状態に保持される。さらに、雄コネクタ５０の雄端子５３と雌コネクタ１０の雌端子（図示せず）とが導通可能に接続される。
【００２３】
次に、両コネクタ１０，５０を離脱させる場合について簡単に説明する。まず、押圧片３５を下方に押し込んでロックアーム３３を撓ませ、ロック突部３４とロック受け部２５の係止状態を解除する。この状態で操作部３２を指に掛けてレバー３０を嵌合位置から初期位置へ回動させる。すると、カムピン３６とカム溝５４の係合によって両コネクタ１０，５０が互いに引き離される。そして、レバー３０が初期位置に至った後、両コネクタ１０，５０を手動で引き離すと、両コネクタ１０，５０が離脱した状態になる。
【００２４】
以上のように本実施形態では、カム溝５４がレバー３０ではなく雄ハウジング５１に設けられているため、カム溝５４を回動させる必要がない。したがって、レバー収容部２１は、カム溝５４よりも小さいカムピン３６が回動できる程度の大きさであればよく、雌ハウジング２０を大幅に小型化することができる。
【００２５】
また、レバー収容部２１を構成する壁部には、カムピン３６をレバー収容部２１の内部から外部に突出させるカムピン挿通孔２４が形成されており、レバー３０の外縁には、カムピン挿通孔２４の周縁部に対して内側から係止するめくれ防止片３７が形成されている構成としてもよい。このような構成によると、めくれ防止片３７をカムピン挿通孔２４の周縁部に対して内側から係止させることにより、レバー３０の回動操作中にレバー３０がカムピン挿通孔２４を通ってレバー収容部２１から外れることを抑制できる。
【００２６】
また、レバー収容部２１の天井壁２３には、カムピン３６の軸方向に突出する形態をなすガイド突部２２が形成されており、雄ハウジング５１には、雌ハウジング２０との嵌合に伴ってガイド突部２２が嵌合するガイド凹部５５が形成されている構成としてもよい。このような構成によると、ガイド突部２２をガイド凹部５５に嵌合させることにより、両ハウジング２０，５１の嵌合動作を案内することができる。
【００２７】
＜他の実施形態＞
本発明は上記記述及び図面によって説明した実施形態に限定されるものではなく、例えば次のような実施形態も本発明の技術的範囲に含まれる。
（１）上記実施形態では、雄コネクタ５０が回路基板Ｂに接続された基板用コネクタとされているものの、本発明によると、雄コネクタが電線の端末に接続されたものとしてもよい。
【００２８】
（２）上記実施形態では、レバー３０にめくれ防止片３７を設けているものの、本発明によると、カムピン挿通孔２４の周縁部にめくれ防止壁を設けてもよい。
【００２９】
（３）上記実施形態では、天井壁２３から上方に突出する形態でガイド突部２２を設けているものの、本発明によると、天井壁２３の両側縁部から側方に突出する形態でガイド突部を設けてもよい。
【符号の説明】
【００３０】
１０…雌コネクタ（レバー式コネクタ）
２０…雌ハウジング
２１…レバー収容部
２２…ガイド突部
２３…天井壁（レバー収容部を構成する壁部、レバー収容部の周壁部）
２４…カムピン挿通孔
３０…レバー
３６…カムピン
３７…めくれ防止片
５０…雄コネクタ（レバー式コネクタ）
５１…雄ハウジング
５４…カム溝
５５…ガイド凹部
【図１】
2014096303.tif 000003
【図２】
2014096303.tif 000004
【図３】
2014096303.tif 000005
【図４】
2014096303.tif 000006
【図５】
2014096303.tif 000007
【図６】
2014096303.tif 000008
【図７】
2014096303.tif 000009
【図８】
2014096303.tif 000010
【図９】
2014096303.tif 000011
【図１０】
2014096303.tif 000012
【図１１】
2014096303.tif 000013
【図１２】
2014096303.tif 000014
【図１３】
2014096303.tif 000015
【図１４】
2014096303.tif 000016
【図１５】
2014096303.tif 000017
【図１６】
2014096303.tif 000018